(57)【特許請求の範囲】
【請求項１】
第一導電層と、前記第一導電層の１つの側辺に互いに離間して設置され且つ前記第一導電層に電気接続される複数の第一探測電極と、を有する第一基板と、
前記第一基板に積層され、前記第一導電層に対向する第二導電層と、前記第二導電層における前記第一導電層の前記１つの側辺に垂直である１つの側辺に互いに離間して設置される複数の第二探測電極と、を有する第二基板と、
を備えるタッチパネルにおいて、
前記第一導電層及び前記第二導電層は、抵抗異方性を有し、前記第一導電層の低抵抗方向と前記第二導電層の低抵抗方向とが直交し、
前記第一導電層及び前記第二導電層の抵抗異方性比は、１００〜２００であり、
前記第一導電層及び前記第二導電層の表面抵抗は、それぞれ１ＫΩ／□〜８００ＫΩ／□であることを特徴とするタッチパネル。
【請求項２】
前記第一導電層及び前記第二導電層は、それぞれカーボンナノチューブが平行に配列されているカーボンナノチューブフィルムによって形成されることを特徴とする請求項１に記載のタッチパネル。
【請求項３】
各々の第一探測電極は、前記第一導電層の低抵抗方向に垂直である前記第一導電層の１つの側辺に等間隔で設置されることを特徴とする請求項１に記載のタッチパネル。
【請求項４】
各々の第二探測電極は、前記第二導電層の低抵抗方向に垂直である前記第二導電層の１つの側辺に等間隔で設置されることを特徴とする請求項１に記載のタッチパネル。
【請求項５】
１つの側辺に複数の第一探測電極が互いに離間して設置されている第一導電層と、前記第一導電層に積層設置され且つその1つの側辺に複数の第二探測電極が互いに離間して設置されている第二導電層と、を備えるタッチパネルに応用される多点タッチ判別方法は、
各々の第一探測電極の電圧を順番に測定して、前記第一探測電極が測定したｍ個のＸ軸相対電圧極値から、対応するｍ個のＸ軸極値座標Ｘ１〜Ｘｍを得るステップと、
各々の第二探測電極の電圧を順番に測定して、前記第二探測電極が測定したｎ個のＹ軸相対電圧極値から、対応するｎ個のＹ軸極値座標Ｙ１〜Ｙｎを得るステップと、
前記第一導電層に第一電圧を印加するステップと、
前記第一導電層を前記Ｘ軸極値座標Ｘ１〜Ｘｍにそれぞれ対応するｍ個のＸ軸探測区域Ｓ１〜Ｓｍと分割するステップと、
前記第二導電層を前記Ｙ軸極値座標Ｙ１〜Ｙｎにそれぞれ対応するｎ個のＹ軸駆動区域Ｄ１〜Ｄｎと分割するステップと、
各々のＸ軸探測区域Ｓ１〜Ｓｍに対応する第一探測電極の電圧値を順番に測定するステップと、
第ｊ番目のＹ軸駆動区域Ｄｊ（１≦ｊ≦ｎ）に対応する第二探測電極に第二電圧を印加し、第ｉ番目のＸ軸探測区域Ｓｉ（１≦ｉ≦ｍ）に対応する第一探測電極がＸ軸相対電圧極値を測定して、タッチ点の座標を出力するステップと、
を備えることを特徴とするタッチパネルの多点タッチ判別方法。
【請求項６】
前記タッチパネルの多点タッチ判別方法は、各々のＸ軸探測区域Ｓ１〜Ｓｍに対応する第一探測電極の電圧値を順番に測定する一方、測定を進行しない他の第一探測電極に第一電圧を印加するステップをさらに含むことを特徴とする請求項５に記載のタッチパネルの多点タッチ判別方法。
【請求項７】
第ｐ−１番目のＸ軸探測区域Ｓｐ−１と第ｐ番目のＸ軸探測区域Ｓｐ（２≦ｐ≦ｎ）との間に少なくとも１つの第一探測電極を含むことを特徴とする請求項５に記載のタッチパネルの多点タッチ判別方法。
【請求項８】
前記タッチパネルの多点タッチ判別方法は、第ｑ−１番目のＹ軸駆動区域Ｄｑ−１と第ｑ番目のＹ軸駆動区域Ｄｑ（２≦ｑ≦ｍ）との間の少なくとも１つの第二探測電極に第一電圧を印加するステップをさらに含むことを特徴とする請求項５に記載のタッチパネルの多点タッチ判別方法。
【請求項９】
各々のＸ軸探測区域Ｓ１〜Ｓｍには、少なくとも１つの第一探測電極が対応し、
各々のＹ軸駆動区域Ｄ１〜Ｄｎには、少なくとも１つの第二探測電極が対応することを特徴とする請求項５に記載のタッチパネルの多点タッチ判別方法。
【請求項１０】
前記第一導電層及び前記第二導電層は、全て抵抗異方性を有し、
前記第一導電層の低抵抗方向と前記第二導電層の低抵抗方向とが垂直であることを特徴とする請求項５に記載のタッチパネルの多点タッチ判別方法。
【請求項１１】
前記第二電圧が前記第一電圧より大きい時、Ｘ軸における相対的な電圧極値は、相対的な高電圧値であり、Ｙ軸における相対的な電圧極値は、相対的な低電圧値であることを特徴とする請求項５に記載のタッチパネルの多点タッチ判別方法。
【請求項１２】
前記第二電圧が前記第一電圧より小さい時、Ｘ軸における相対的な電圧極値は、相対的な低電圧値であり、Ｙ軸における相対的な電圧極値は、相対的な高電圧値であることを特徴とする請求項５に記載のタッチパネルの多点タッチ判別方法。
【請求項１３】
1つの側辺に複数の第一探測電極が互いに離間して設置されている第一導電層と、前記第一導電層に積層設置され且つその1つの側辺に複数の第二探測電極が互いに離間して設置されている第二導電層と、を備えるタッチパネルに応用される多点タッチ判別方法は、
各々の第一探測電極の電圧を順番に測定して、前記第一探測電極が測定したｍ個のＸ軸相対電圧極値から、対応するｍ個のＸ軸極値座標Ｘ１〜Ｘｍを得るステップと、
各々の第二探測電極の電圧を順番に測定して、前記第二探測電極が測定したｎ個のＹ軸相対電圧極値から、対応するｎ個のＹ軸極値座標Ｙ１〜Ｙｎを得るステップと、
前記第一導電層に第一電圧を印加するステップと、
前記第一導電層を前記Ｘ軸極値座標Ｘ１〜Ｘｍにそれぞれ対応するｍ個のＸ軸探測区域Ｓ１〜Ｓｍと分割するステップと、
前記第二導電層を前記Ｙ軸極値座標Ｙ１〜Ｙｎにそれぞれ対応するｎ個のＹ軸駆動区域Ｄ１〜Ｄｎと分割するステップと、
第一番目のＹ軸駆動区域Ｄ１乃至第ｊ番目のＹ軸駆動区域Ｄｊ（１≦ｊ≦ｎ）に対応する第二探測電極に第二電圧を順番に印加するステップと、
第ｉ番目のＸ軸探測区域Ｓｉ（１≦ｉ≦ｍ）に対応する第一探測電極が測定したＸ軸相対電圧極値Ｖｉｊと第ｊ番目のＹ軸駆動区域Ｄｊが駆動されない時に測定したＸ軸相対電圧極値Ｖｉｊ’が違えば、タッチ点の座標を出力するステップと、
を備えることを特徴とするタッチパネルの多点タッチ判別方法。
【請求項１４】
前記タッチパネルの多点タッチ判別方法は、各々のＸ軸探測区域Ｓ１〜Ｓｍに対応する第一探測電極の電圧値を順番に測定する一方、測定を進行しない他の第一探測電極に第一電圧を印加するステップをさらに含むことを特徴とする請求項１３に記載のタッチパネルの多点タッチ判別方法。
【請求項１５】
第ｐ−１番目のＸ軸探測区域Ｓｐ−１と第ｐ番目のＸ軸探測区域Ｓｐ（２≦ｐ≦ｎ）との間に少なくとも１つの第一探測電極を含むことを特徴とする請求項１３に記載のタッチパネルの多点タッチ判別方法。
【請求項１６】
前記タッチパネルの多点タッチ判別方法は、第ｑ−１番目のＹ軸駆動区域Ｄｑ−１と第ｑ番目のＹ軸駆動区域Ｄｑ（２≦ｑ≦ｍ）との間の少なくとも１つの第二探測電極に第一電圧を印加するステップをさらに含むことを特徴とする請求項１３に記載のタッチパネルの多点タッチ判別方法。
【請求項１７】
各々のＸ軸探測区域Ｓ１〜Ｓｍには、少なくとも１つの第一探測電極が対応し、
各々のＹ軸駆動区域Ｄ１〜Ｄｎには、少なくとも１つの第二探測電極が対応することを特徴とする請求項１３に記載のタッチパネルの多点タッチ判別方法。
【請求項１８】
前記第一導電層及び前記第二導電層は、全て抵抗異方性を有し、
前記第一導電層の低抵抗方向と前記第二導電層の低抵抗方向とが垂直であることを特徴とする請求項１３に記載のタッチパネルの多点タッチ判別方法。
【請求項１９】
前記第二電圧が前記第一電圧より大きい時、Ｘ軸における相対的な電圧極値は、相対的な高電圧値であり、Ｙ軸における相対的な電圧極値は、相対的な低電圧値であることを特徴とする請求項１３に記載のタッチパネルの多点タッチ判別方法。
【請求項２０】
前記第二電圧が前記第一電圧より小さい時、Ｘ軸における相対的な電圧極値は、相対的な低電圧値であり、Ｙ軸における相対的な電圧極値は、相対的な高電圧値であることを特徴とする請求項１３に記載のタッチパネルの多点タッチ判別方法。
【請求項２１】
前記第二電圧が前記第一電圧より大きい時、前記少なくとも１つの相対的な極値は、相対的な高電圧値であることを特徴とする請求項５に記載のタッチパネルの多点タッチ判別方法。
【請求項２２】
前記第二電圧が前記第一電圧より小さい時、前記少なくとも１つの相対的な極値は、相対的な低電圧値であることを特徴とする請求項５に記載のタッチパネルの多点タッチ判別方法。
【請求項２３】
前記各第一探測電極の電圧を順番に測定する時、測定を進行しない第一探測電極に第一電圧を印加することを特徴とする請求項５に記載のタッチパネルの多点タッチ判別方法。
【発明の詳細な説明】
【技術分野】
【０００１】
本発明は、タッチパネル及びそれに用いられるタッチ判別方法に関し、特にタッチパネル及びそれに用いられる多点タッチ判別方法に関するものである。
【０００２】
伝統的なタッチパネルは、抵抗圧力式、静電容量式、赤外線式及び表面音波式に分けられる。抵抗式四線型タッチパネル又は抵抗式五線型タッチパネルは、シミュレーション方式で導電性フィルムの電圧変化を測定するため、使用過程において、同じ時間にただ１つのタッチ動作しか判別できなく、使用者が同じ時間に複数のタッチ動作を進行する場合、エラー（Ｅｒｒｏｒ）が発生する。
【０００３】
特許文献１及び２には、それぞれ多点タッチ動作を判別する静電容量式タッチパネルが開示されている。前記静電容量式タッチパネルは、２つの透明基板と、前記２つの透明基板の互いに向き合う表面にそれぞれ設置されている２つの透明導電層と、を具備する。製品の異なる解像度によって、前記２つの導電層に対してそれぞれ伝統的なリソグラフィー（Ｌｉｔｈｏｇｒａｐｈｙ）処理を実施して、前記２つの導電層に互いに平行で且つ一定の間隔を有する複数の導線を形成する。前記２つの導電層に形成されている導線は互いに直交する。タッチパネルに対して操作を進行する時、各々の導線をスキャン（Ｓｃａｎ）して各々の導線の静電容量の変化を分析することにより、タッチ部位の座標を判断する。
【０００４】
しかし、上述した静電容量式タッチパネルにおいて、伝統的なリソグラフィー処理が必要とされるため、製品を製造し難く、良品率が低く、駆動方法も複雑である。従って、従来の静電容量式タッチパネルは、多点タッチを判別できるが、製造費用が高く、応用範囲が制限される。
【先行技術文献】
【特許文献】
【０００５】
【特許文献１】米国特許公開ＵＳ２００６／００９７９９１
【特許文献２】米国特許公開ＵＳ２００８／０１５８１８１
【特許文献３】台湾特許公開ＴＷ２００９２０６８９
【発明の概要】
【発明が解決しようとする課題】
【０００６】
以上の問題点に鑑みて、本発明は、構造および駆動が簡単であり、同じ時間に多点のタッチ動作を行うことができるタッチパネル及びタッチパネルの多点タッチ判別方法を提供することを目的とする。
【課題を解決するための手段】
【０００７】
前記問題を解決するために、本発明に係るタッチパネルは、第一導電層と、前記第一導電層の１つの側辺に互いに離間して設置され且つ前記第一導電層に電気接続される複数の第一探測電極と、を有する第一基板と、前記第一基板に積層され、前記第一導電層に対向する第二導電層と、前記第二導電層における前記第一導電層の前記１つの側辺に垂直である1つの側辺に互いに離間して設置される複数の第二探測電極と、を有する第二基板と、を備える。前記第一導電層及び前記第二導電層は、抵抗異方性を有し、前記第一導電層の低抵抗方向と前記第二導電層の低抵抗方向とが直交する。
【０００８】
また、本発明に係るタッチパネルの多点タッチ判別方法は、1つの側辺に複数の第一探測電極が互いに離間して設置されている第一導電層と、前記第一導電層に積層設置され且つその1つの側辺に複数の第二探測電極が互いに離間して設置されている第二導電層と、を備えるタッチパネルに応用される。前記多点タッチ判別方法は、各々の第一探測電極の電圧を順番に測定して、前記第一探測電極が測定したｍ個のＸ軸相対電圧極値から、対応するｍ個のＸ軸極値座標Ｘ1〜Ｘｍを得るステップと、各々の第二探測電極の電圧を順番に測定して、前記第二探測電極が測定したｎ個のＹ軸相対電圧極値から、対応するｎ個のＹ軸極値座標Ｙ1〜Ｙｎを得るステップと、前記第一導電層に第一電圧を印加するステップと、前記第一導電層を前記Ｘ軸極値座標Ｘ1〜Ｘｍにそれぞれ対応するｍ個のＸ軸探測区域Ｓ1〜Ｓｍと分割するステップと、前記第二導電層を前記Ｙ軸極値座標Ｙ1〜Ｙｎにそれぞれ対応するｎ個のＹ軸駆動区域Ｄ1〜Ｄｎと分割するステップと、各々のＸ軸探測区域Ｓ1〜Ｓｍに対応する第一探測電極の電圧値を順番に測定するステップと、第ｊ番目のＹ軸駆動区域Ｄｊ（1≦ｊ≦ｎ）に対応する第二探測電極に第二電圧を印加し、第ｉ番目のＸ軸探測区域Ｓｉ（1≦ｉ≦ｍ）に対応する第一探測電極がＸ軸相対電圧極値を測定して、タッチ点の座標を出力するステップと、を備える。
【０００９】
また、本発明に係るタッチパネルの多点タッチ判別方法は、1つの側辺に複数の第一探測電極が互いに離間して設置されている第一導電層と、前記第一導電層に積層設置され且つその1つの側辺に複数の第二探測電極が互いに離間して設置されている第二導電層と、を備えるタッチパネルに応用される。前記多点タッチ判別方法は、各々の第一探測電極の電圧を順番に測定して、前記第一探測電極が測定したｍ個のＸ軸相対電圧極値から、対応するｍ個のＸ軸極値座標Ｘ1〜Ｘｍを得るステップと、各々の第二探測電極の電圧を順番に測定して、前記第二探測電極が測定したｎ個のＹ軸相対電圧極値から、対応するｎ個のＹ軸極値座標Ｙ1〜Ｙｎを得るステップと、前記第一導電層に第一電圧を印加するステップと、前記第一導電層を前記Ｘ軸極値座標Ｘ1〜Ｘｍにそれぞれ対応するｍ個のＸ軸探測区域Ｓ1〜Ｓｍと分割するステップと、前記第二導電層を前記Ｙ軸極値座標Ｙ1〜Ｙｎにそれぞれ対応するｎ個のＹ軸駆動区域Ｄ1〜Ｄｎと分割するステップと、第一番目のＹ軸駆動区域Ｄ１乃至第ｊ番目のＹ軸駆動区域Ｄｊ（１≦ｊ≦ｎ）に対応する第二探測電極に第二電圧を順番に印加するステップと、第ｉ番目のＸ軸探測区域Ｓｉ（１≦ｉ≦ｍ）に対応する第一探測電極が測定したＸ軸相対電圧極値Ｖｉｊと第ｊ番目のＹ軸駆動区域Ｄｊが駆動されない時に測定したＸ軸相対電圧極値Ｖｉｊ’が違えば、タッチ点の座標を出力するステップと、を備える。
【００１０】
また、本発明に係るタッチパネルの多点タッチ判別方法は、１つの側辺にＭ（Ｍ≧３）個の第一探測電極が間隔を有するように設置されている第一導電層と、前記第一導電層に積層設置され、１つの側辺にＮ（Ｎ≧３）個の第二探測電極が間隔を有するように設置されている第二導電層と、を備え、前記第一導電層及び前記第二導電層は全て抵抗異方性を有し、前記第一導電層の低抵抗方向と前記第二導電層の低抵抗方向が垂直であるタッチパネルに応用される。前記多点タッチ判別方法は、前記第一導電層に第一電圧を印加するステップと、Ｙ軸座標Ｙｊ（１≦ｊ≦Ｍ）に対応する第ｊ番目の第二探測電極に第二電圧を印加するステップと、各々の第一探測電極の電圧を測定して、各々の第一探測電極の電圧が少なくとも１つの相対的な極値を持てば、前記相対的な極値を測定した第ｉ番目の第一探測電極に対応する少なくとも１つのＸ軸座標Ｘｉ（１≦ｉ≦Ｍ）を得るステップと、少なくとも１つのタッチ点の座標値を出力するステップと、を備える。
【発明の効果】
【００１１】
本発明に係るタッチパネル及びタッチパネルに用いられる多点タッチ判別方法において、異なる導電層材料を採用する一方、導電層の高抵抗の特性によって、構造及び駆動が簡単で、コストが少ない抵抗式タッチパネルを提供する。前記タッチパネルは、簡単な計算を通じて複数のタッチ点の判別及び各種の手姿勢で複数点のタッチ操作を進行できて、タッチパネルの応用範囲を大幅に拡大する。
【図面の簡単な説明】
【００１２】
【図１】本発明に係るタッチパネルの分解図である。
【図２】本発明に係るタッチパネルの多点タッチ判別方法における２個の点のタッチを行った時、Ｘ軸側の探測電極が測定した電圧分布を示す図である。
【図３】本発明に係るタッチパネルの多点タッチ判別方法におけるタッチされた２個の点がＸ軸方向で非常に近い時、Ｘ軸側の探測電極が測定した電圧分布を示す図である。
【図４】本発明に係るタッチパネルの多点タッチ判別方法における２個の点のタッチを行った時、Ｙ軸側の探測電極が測定した電圧分布を示す図である。
【図５】本発明に係るタッチパネルの多点タッチ判別方法においてタッチされた２個の点がＹ軸方向で非常に近い時、Ｙ軸側の探測電極が測定した電圧分布を示す図である。
【図６】タッチパネルにおいて、５個の点がタッチされた時、各々のタッチ点及びＸ軸側の探測区域とＹ軸側の駆動区域との区分を示す図である。
【図７】本発明に係るタッチパネルの多点タッチ判別方法における無効点の除去過程中に、第一探測電極が区域に従って測定した電圧分布を示す図である。
【図８】本発明に係るタッチパネルの多点タッチ判別方法における他例の無効点の除去過程中に、第一探測電極が区域に従って測定した電圧分布を示す図である。
【図９】本発明に係るタッチパネルの多点タッチ判別方法で異なる操作の手姿勢を判別することを示す図である。
【図１０】本発明に係るタッチパネルの多点タッチ判別方法で異なる操作の手姿勢を判別することを示す図である。
【図１１】本発明に係るタッチパネルの多点タッチ判別方法で異なる操作の手姿勢を判別することを示す図である。
【発明を実施するための形態】
【００１３】
以下、図面に基づいて、本発明に係るタッチパネル及びそれに用いられる多点タッチ判別方法について詳細に説明する。
【００１４】
図１は、本発明に係るタッチパネル１００の分解図である。簡単に説明するために、単に５個の第一探測電極１１４及び５個の第二探測電極１２４だけを図示した。しかし、実際の応用において、前記第一探測電極１１４及び前記第二探測電極１２４の個数は、タッチパネルの面積及び応用分野により決定される。
【００１５】
図１を参照すると、本発明に係るタッチパネル１００は、第一導電性フィルム１１０と、前記第一導電性フィルム１１０に積層設置される第二導電性フィルム１２０と、前記第一導電性フィルム１１０と前記第二導電性フィルム１２０を固着させる環状接着層１３０と、を備える。前記第一導電性フィルム１１０と前記第二導電性フィルム１２０との間には複数の絶縁素子１３２が均一に分布される。前記絶縁素子１３２は、前記第一導電性フィルム１１０と前記第二導電性フィルム１２０とが互いに一定の間隔を維持するようにする。
【００１６】
前記第一導電性フィルム１１０は、第一基板１１１と、前記第一基板１１１の表面に設置される第一接着層１１２と、前記第一接着層１１２により前記第一基板１１１に固着される第一導電層１１３と、を備える。前記第一導電層１１３の表面には、複数の第一探測電極１１４が設置されている。前記複数の第一探測電極１１４は、互いに等間隔に設置され、且つ一端は前記第一導電層１１３の１つの側辺（図１での第一導電層１１３の端部側辺）に電気接続され、他端は前記第一導電層１１３の端部の中央まで延在されて信号の伝達に用いられる。
【００１７】
前記第二導電性フィルム１２０は、第二基板１２１と、前記第二基板１２１の表面に設置される第二接着層１２２と、前記第二接着層１２２により前記第二基板１２１に固着される第二導電層１２３と、を備える。前記第二導電層１２３の表面には、複数の第二探測電極１２４が設置されている。前記複数の第二探測電極１２４は、互いに等間隔に設置され、一端は前記第二導電層１２３に電気接続され、他端は前記第二導電層１２３の１つの側辺（図１での第二導電層１２３の右側辺)に平行配列されている導線１２５に接続される。前記導線１２５は、前記第二導電層１２３の１つの側辺に沿って前記第二導電層１２３の端部の中央まで延在されて信号の伝達に用いられる。前記第一探測電極１１４が設置されている第一導電層１１３の１つの側辺と前記第二探測電極１２４が設置されている第二導電層１２３の１つの側辺とは、直交する。
【００１８】
前記タッチパネル１００は、複数の金属接点１４１を持つフレキシブル印刷回路基板１４０をさらに備える。前記環状接着層１３０の１つの側端部の中央には欠口部１３１が設置されている。前記タッチパネル１００を組み立てる時、前記フレキシブル印刷回路基板１４０を前記欠口部１３１に位置させ、前記フレキシブル印刷回路基板１４０の複数の金属接点１４１を前記第一導電性フィルム１１０における第一探測電極１１４の末端及び前記第二導電性フィルム２２０における導線１２５の末端に電気接続させて、外部の電気信号を前記第一導電性フィルム１１０の第一探測電極１１４及び前記第二導電性フィルム１２０の第二探測電極１２４に伝達する。
【００１９】
前記第一基板１１１及び前記第二基板１２１は、ポリエチレン（ＰＥ）、ポリカーボネート（ＰＣ）、ポリエチレンテレフタレート（ＰＥＴ）、ポリメタクリル酸メチル（ＰＭＭＡ）又は薄膜化されたガラスのような透明材料によって形成される基板である。前記環状接着層１３０、前記第一接着層１１２及び前記第二接着層１２２は、熱固化接着剤又はＵＶ固化接着剤によって形成される。
【００２０】
特許文献３（カーボンナノチューブフィルムの製造装置及びカーボンナノチューブフィルムの製造方法）には、導電特性を有するカーボンナノチューブフィルムの製造方法が開示されており、引張方式によって超整列のカーボンナノチューブアレイ（Ｓｕｐｅｒ  Ｖｅｒｔｉｃａｌ−Ａｌｉｇｎｅｄ  Ｃａｒｂｏｎ  Ｎａｎｏｔｕｂｅ  Ａｒｒａｙ）から透明導電性フィルムの製造に用いられるカーボンナノチューブフィルムを得る。
【００２１】
タッチパネルの信頼性を向上し、タッチパネルの枠の幅を低減するために、前記第一導電層１１３及び前記第二導電層１２３は、上述した方法によって形成されるカーボンナノチューブフィルムからなる。引張工程によって、前記カーボンナノチューブフィルムの複数のカーボンナノチューブは引張方向に沿って基本的に平行に配列され、前記導電層の引張方向に沿う抵抗は小さく、前記導電層の引張方向に直交する方向に沿う抵抗は、前記導電層の引張方向に沿う抵抗の５０〜３５０倍であり、異なる測定位置及び測定方向によって、導電層の表面抵抗は１ＫΩ／□〜８００ＫΩ／□である。従って、本発明における第一導電層１１３及び第二導電層１２３は、抵抗異方性（又は導電異方性、Ａｎｉｓｏｔｒｏｐｉｃ  Ｃｏｎｄｕｃｔｉｖｉｔｙ)を有する。
【００２２】
図１に示したように、前記第一導電層１１３は、主要導電方向Ｐ１を有し、前記第二導電層１２３は、主要導電方向Ｐ２を有し、且つ前記主要導電方向Ｐ１と前記主要導電方向Ｐ２は互いに直交する。前記第一導電層１１３において、前記主要導電方向Ｐ１に直交する方向の抵抗は、前記主要導電方向Ｐ１の抵抗の１００〜２００倍であり、前記第二導電層１２３において、前記主要導電方向Ｐ２に直交する方向の抵抗は、前記主要導電方向Ｐ２の抵抗の１００〜２００倍である。
【００２３】
簡単に説明するために、本発明に係るタッチパネル１００の操作において、２個のタッチ点のみを含む場合に対し説明する。しかし、本発明に係るタッチパネル１００の多点タッチ判別方法は、より多数のタッチ点の場合にも適用される。
【００２４】
図２は、本発明に係るタッチパネル１００の多点タッチ判別方法において、タッチパネル１００の２個の箇所をタッチした時、Ｘ軸側の探測電極が測定した電圧分布を示す図である。ここで、Ｘｎ−１〜Ｘｍ＋１は、第一探測電極１１４に対応するＸ軸の座標であり、Ｖｎ−１〜Ｖｍ＋１は、対応する第一探測電極１１４が測定した電圧であり、Ｐｘは、互いに隣り合う２つの第一探測電極１１４の間の間隔である。
【００２５】
図１及び図２を参照すると、前記タッチパネル１００が動作されない場合、各々の第一探測電極１１４に第一電圧Ｖ１が印加されて、前記第一導電層１１３は等電位状態になり、各々の第二探測電極１２４に第二電圧Ｖ２が印加されて、前記第二導電層１２３も等電位状態になる。前記第二電圧Ｖ２は、前記第一電圧Ｖ１より大きい。
【００２６】
前記タッチパネル１００が動作される場合、まず、Ｘ軸を測定する。即ち、各々の第一探測電極１１４が順番に電圧を測定する。次に、Ｙ軸を測定する。即ち、各々の第二探測電極１２４が順番に電圧を測定する。このような動作を繰り返して、使用者によってタッチ動作する。前記タッチパネル１００がタッチされない場合、各々の第一探測電極１１４が測定した電圧は全て第一電圧Ｖ１であり、各々の第二探測電極１２４が測定した電圧は全て第二電圧Ｖ２である。
【００２７】
各々の第一探測電極１１４が順番に電圧を測定する過程において、測定を進行しない第一探測電極１１４に続いて第一電圧Ｖ１を印加し、各々の第二探測電極１２４が順番に電圧を測定する過程において、測定を進行しない第二探測電極１２４に続いて第二電圧Ｖ２を印加することにより、信号の識別度を向上させる。
【００２８】
前記タッチパネル１００の少なくとも２個の箇所がタッチされて、前記第二導電層１２３が前記第一導電層１１３に電気接続される場合、上述した説明によって、各々の第一探測電極１１４が測定された電圧から第一Ｘ軸高電圧Ｖｎ、第二Ｘ軸高電圧Ｖｍ及び前記第一Ｘ軸高電圧Ｖｎと前記第二Ｘ軸高電圧Ｖｍとの間に位置するＸ軸低電圧Ｖ１を判断することができ、前記第１Ｘ軸高電圧Ｖｎを測定した第一探測電極１１４のＸ軸座標はＸｎであり、前記第二Ｘ軸高電圧Ｖｍを測定した第一探測電極１１４のＸ軸座標はＸｍである。
【００２９】
前記第一Ｘ軸高電圧Ｖｎに対応する位置を第一Ｘ軸タッチ点と見なし、前記第二Ｘ軸高電圧Ｖｍに対応する位置を第二Ｘ軸タッチ点と見なし、以下の式１及び式２によって、前記第１Ｘ軸タッチ点の実際のＸ軸座標値Ｘ１及び前記第２Ｘ軸タッチ点の実際のＸ軸座標値Ｘ２を計算する。
【００３０】
【数１】
0005634778.tif 000002
【００３１】
ここで、ｎ≧２であり、Ｖｎ−１は、第ｎ−１番目の第一探測電極１１４が測定した電圧であり、Ｖｎ＋１は、第ｎ＋１番目の第一探測電極１１４が測定した電圧である。
【００３２】
【数２】
0005634778.tif 000003
【００３３】
ここで、ｍ≧ｎ＋３であり、Ｖｍ−１は、第ｍ−１番目の第一探測電極１１４が測定した電圧であり、Ｖｍ＋１は、第ｍ＋１番目の第一探測電極１１４が測定した電圧である。
【００３４】
図３は、本発明に係るタッチパネルの多点タッチ判別方法における２つのタッチ点がＸ軸方向で非常に近い時、Ｘ軸側の探測電極が測定した電圧分布を示す図である。
【００３５】
前記タッチパネル１００の第一導電層１１３及び第二導電層１２３は、互いに平行したカーボンナノチューブからなる導電性フィルムであるため、抵抗異方性を有する。従って、前記タッチパネル１００の２つのタッチ点がＸ軸方向で非常に近い時、前記第一Ｘ軸高電圧Ｖｎと前記第二Ｘ軸高電圧Ｖｍとの間に位置するＸ軸低電圧Ｖｎ＋１は、左右両側のＸ軸高電圧Ｖｎ、Ｖｍの作用の二重結合（Ｖｎ＋１’＋Ｖｍ−１’）である。ｍ＝ｎ＋２である時、前記式１のＶｎ＋１及び前記式２のＶｍ−１をそれぞれＶｎ＋１’及びＶｍ−１’で置換してから、下の式でＸ軸座標を計算する。
【００３６】
即ち、
【００３７】
【数３】
0005634778.tif 000004
【００３８】
ここで、Ｖｎ＋１’は、Ｖｎに正比例すると共に（Ｖｎ−Ｖｎ−１）に正比例し、Ｖｍ−１’は、Ｖｍに正比例すると共に（Ｖｍ−Ｖｍ＋１）に正比例する。
【００３９】
図４は、本発明に係るタッチパネルの多点タッチ判別方法において、タッチパネルの２個の箇所をタッチした時、Ｙ軸側の探測電極が測定した電圧分布を示す図である。
【００４０】
図１及び図４を参照すると、上述したＸ軸座標を測定してから、続いて各々の第二探測電極１２４が測定した電圧から第一Ｙ軸低電圧Ｖｓ、第二Ｙ軸低電圧Ｖｔ及び前記第一Ｙ軸低電圧Ｖｓと前記第二Ｙ軸低電圧Ｖｔとの間に位置するＹ軸高電圧Ｖ２を判断することができ、前記第一Ｙ軸低電圧Ｖｓを測定した第二探測電極１２４に対応するＹ軸座標はＹｓであり、前記第二Ｙ軸低電圧Ｖｔを測定した第二探測電極１２４に対応するＹ軸座標はＹｔである。
【００４１】
前記第一Ｙ軸低電圧Ｖｓに対応する位置を第一Ｙ軸タッチ点と見なし、前記第二Ｙ軸低電圧Ｖｔに対応する位置を第二Ｙ軸タッチ点と見なし、下の式３及び式４によって、前記第一Ｙ軸タッチ点の実際のＹ軸座標値Ｙ１及び前記第二Ｙ軸タッチ点の実際のＹ軸座標値Ｙ２を計算する。
【００４２】
【数４】
0005634778.tif 000005
【００４３】
ここで、ｓ≧２であり、Ｖｓ−１は、第ｓ−１番目の第二探測電極１２４が測定した電圧であり、Ｖｓ＋１は、第ｓ＋１番目の第二探測電極１２４が測定した電圧である。
【００４４】
【数５】
0005634778.tif 000006
【００４５】
ここで、ｔ≧ｓ＋３であり、Ｖｔ−１は、第ｔ−１番目の第二探測電極１２４が測定した電圧であり、Ｖｔ＋１は、第ｔ＋１番目の第二探測電極１２４が測定した電圧である。
【００４６】
図５は、本発明に係るタッチパネルの多点タッチ判別方法における２つのタッチ点がＹ軸方向で非常に近い時、Ｙ軸側の探測電極が測定した電圧分布を示す図である。
【００４７】
前記タッチパネル１００の第一導電層１１３及び第二導電層１２３は、互いに平行したカーボンナノチューブからなる導電性フィルムであるため、抵抗異方性を有する。従って、前記タッチパネル１００の２つのタッチ点がＹ軸方向で非常に近い時、前記第一Ｙ軸低電圧Ｖｓと前記第二Ｙ軸低電圧Ｖｔとの間に位置するＹ軸高電圧Ｖｓ＋１は左右両側のＹ軸低電圧Ｖｓ、Ｖｔの作用の二重結合（Ｖ２−Ｖｓ＋１’−Ｖｔ−１’）である。ｔ＝ｓ＋２である時、前記式３中のＶｓ＋１及び前記式４中のＶｔ−１をそれぞれＶｓ＋１’及びＶｔ−１’で置換してから、下の式でＹ軸座標を計算する。
【００４８】
即ち、
【００４９】
【数６】
0005634778.tif 000007
【００５０】
ここで、Ｖｓ＋１’は、Ｖｓに正比例すると共に（Ｖｓ−１−Ｖｓ）に正比例し、Ｖｔ−１’は、Ｖｔに正比例すると共に（Ｖｔ＋１−Ｖｔ）に正比例する。
【００５１】
上述したように、本発明に係る多点タッチ判別方法によって複数のタッチ点の推定Ｘ軸座標及びＹ軸座標を得ることができるが、実際のタッチ点の真の位置を得ることはできない。簡単に説明するために、以下、タッチ点が５個である場合を例として、本発明に係る多点タッチ判別方法によって無効点を除去してタッチ点の真の位置を確定することを説明する。
【００５２】
図６は、タッチパネル１００の５個の点がタッチされた時、各々のタッチ点及びＸ軸探測区域とＹ軸駆動区域との区分を示す図である。
【００５３】
図６に示したように、点Ｃ１１、Ｃ２１、Ｃ２３、Ｃ３１、Ｃ３２は、５個のタッチ点の真の位置を代表し、点Ｃ１２、Ｃ１３、Ｃ２２、Ｃ３３は、前記５個のタッチ点がそれぞれＸ軸方向及びＹ軸方向で重なって形成された４個の無効点を代表し、Ｘｍ−３〜Ｘｍ＋４は、Ｘ軸区域範囲内の第一探測電極を代表し、Ｙｎ−３〜Ｙｎ＋４は、Ｙ軸区域範囲内の第二探測電極を代表し、ｘ１、ｘ２、ｘ３は、それぞれ上述した多点タッチ判別方法で計算して得たタッチ点のＸ軸座標を代表し、ｙ１、ｙ２、ｙ３は、それぞれ上述した多点ッチ判別方法で計算して得たタッチ点のＹ軸座標を代表する。
【００５４】
本発明に係る多点タッチ判別方法において、無効点Ｃ１２、Ｃ１３、Ｃ２２、Ｃ３３を除去して、タッチ点Ｃ１１、Ｃ２１、Ｃ２３、Ｃ３１、Ｃ３２の真の位置を確定するために、以下のような修正を進行する必要がある。
【００５５】
以下は、無効点の除去方法の一例である。
【００５６】
まず、前記第一導電層１１３を３つの前記Ｘ軸極値座標ｘ１、ｘ２、ｘ３にそれぞれ対応する３つのＸ軸探測区域Ｓ１、Ｓ２、Ｓ３と区分し、前記第二導電層１２３を３つの前記Ｙ軸極値座標ｙ１、ｙ２、ｙ３にそれぞれ対応する３つのＹ軸駆動区域Ｄ１、Ｄ２、Ｄ３と区分する。前記Ｘ軸探測区域Ｓ１は、２つの第一探測電極Ｘｍ−３、Ｘｍ−２に対応し、前記Ｘ軸探測区域Ｓ２は、２つの第一探測電極Ｘｍ−１、Ｘｍに対応し、前記Ｘ軸探測区域Ｓ３は、１つの第一探測電極Ｘｍ＋３に対応し、前記Ｘ軸探測区域Ｓ２と前記Ｘ軸探測区域Ｓ３との間には、探測区域に区分されない２つの第一探測電極Ｘｍ＋１、Ｘｍ＋２がある。前記Ｙ軸駆動区域Ｄ１は、１つの第二探測電極Ｙｎ−３に対応し、前記Ｙ軸駆動区域Ｄ２は、２つの第二探測電極Ｙｎ−１、Ｙｎに対応し、前記Ｙ軸駆動区域Ｄ３は、２つの第探測指電極Ｙｎ＋２、Ｙｎ＋３に対応し、前記Ｙ軸駆動区域Ｄ１と前記Ｙ軸駆動区域Ｄ２との間には、駆動区域に区分されない１つの第二探測電極Ｙｎ−２があり、前記Ｙ軸駆動区域Ｄ２と前記Ｙ軸駆動区域Ｄ３との間には、駆動区域に区分されない１つの第二探測電極Ｙｎ＋１がある。
【００５７】
次に、順番に前記Ｙ軸駆動区域Ｄ１、Ｄ２、Ｄ３に対応する各々の第二探測電極に第二電圧Ｖ２を印加するとともに、各々のＹ軸駆動区域Ｄ１、Ｄ２、Ｄ３が駆動される時、各々のＸ軸探測区域Ｓ１、Ｓ２、Ｓ３に対応する第一探測電極１１４の電圧値を測定する（図７参照）。各々のＸ軸探測区域Ｓ１、Ｓ２、Ｓ３に対応する第一探測電極の電圧を順番に測定する時、非測定状態の第一探測電極１１４及び非駆動状態のＹ軸駆動区域に対応する第二探測電極１２４に第一電圧Ｖ１を印加する。
【００５８】
図７の（Ａ）に示したように、前記Ｙ軸駆動区域Ｄ１に対応する１つの第二探測電極Ｙｎ−３に第二電圧Ｖ２を印加した時、前記Ｘ軸探測区域Ｓ１に対応する第一探測電極Ｘｍ−２は、１つのＸ軸相対電圧極値を測定する。従って、前記Ｘ軸探測区域Ｓ１と前記Ｙ軸駆動区域Ｄ１との重複範囲内には真のタッチ点Ｃ１１が存在し、且つその座標は（ｘ１，ｙ１）であり、点Ｃ１２及び点Ｃ１３は、無効点である。
【００５９】
図７の（Ｂ）に示したように、前記Ｙ軸駆動区域Ｄ２に対応する２つの第二探測電極Ｙｎ−１、Ｙｎに第二電圧Ｖ２を印加した時、前記Ｘ軸探測区域Ｓ１に対応する第一探測電極Ｘｍ−２は、１つのＸ軸相対電圧極値を測定し、前記Ｘ軸探測区域Ｓ３に対応する第一探測電極Ｘｍ＋３は、他の一つのＸ軸相対電圧極値を測定する。従って、前記X軸探測区域Ｓ１と前記Ｙ軸駆動区域Ｄ２との重複範囲内には真のタッチ点Ｃ２１が存在し、且つその座標は（ｘ１，ｙ２）であり、前記Ｘ軸探測区域Ｓ３と前記Ｙ軸駆動区域Ｄ２との重複範囲内には真のタッチ点Ｃ２３が存在し、且つその座標は（ｘ３，ｙ２）であり、点Ｃ２２は、無効点である。
【００６０】
図７の（Ｃ）に示したように、前記Ｙ軸駆動区域Ｄ３に対応する２つの第二探測電極Ｙｎ＋２、Ｙｎ＋３に第二電圧Ｖ２を印加した時、前記Ｘ軸探測区域Ｓ１に対応する第一探測電極Ｘｍ−２は１つのＸ軸相対電圧極値を測定し、前記Ｘ軸探測区域Ｓ２に対応する第一探測電極Ｘｍは他の１つのＸ軸相対電圧極値を測定する。従って、前記Ｘ軸探測区域Ｓ１と前記Ｙ軸駆動区域Ｄ３との重複範囲内には真のタッチ点Ｃ３１が存在し、且つその座標は（ｘ１，ｙ３）であり、前記Ｘ軸探測区域Ｓ２と前記Ｙ軸駆動区域Ｄ３との重複範囲内には真のタッチ点Ｃ３２が存在し、且つその座標は（ｘ２，ｙ３）であり、点Ｃ３３は、無効点である。
【００６１】
上述した方法によって、５個の真のタッチ点の座標Ｃ１１：（ｘ１，ｙ１）、Ｃ２１：（ｘ１，ｙ２）、Ｃ２３：（ｘ３，ｙ２）、Ｃ３１：（ｘ１，ｙ３）、Ｃ３２：（ｘ２，ｙ３）を知ることができ、複数点のタッチ点の真の座標の判別を終了する。
【００６２】
本実施例において、測定誤差を低減するために、前記Ｙ軸駆動区域Ｄ１、Ｄ２、Ｄ３に区分されない２つの第二探測電極Ｙｎ−２、Ｙｎ＋１に第一電圧Ｖ１又は第二電圧Ｖ２を印加する。
【００６３】
以下は、無効点の除去方法の他の一例である。
【００６４】
図６を参照すると、上述したように、まず、前記第一導電層１１３を前記Ｘ軸極値座標（ｘ１，ｘ２，ｘ３）にそれぞれ対応する３つのＸ軸探測区域Ｓ１、Ｓ２、Ｓ３に区分し、前記第二導電層１２３を前記Ｙ軸極値座標（ｙ１，ｙ２，ｙ３）にそれぞれ対応する３つのＹ軸駆動区域Ｄ１、Ｄ２、Ｄ３に区分する。異なるＸ軸探測区域Ｓ１、Ｓ２、Ｓ３は、それぞれ少なくとも１つの第一探測電極１１４に対応し、異なるＹ軸駆動区域Ｄ１、Ｄ２、Ｄ３は、それぞれ少なくとも１つの第二探測電極１２４に対応する。
【００６５】
次に、各々の第一探測電極１１４を介して前記第一導電層１１３に第一電圧Ｖ１を印加した後、Ｙ軸駆動区域Ｄ１、Ｙ軸駆動区域（Ｄ１＋Ｄ２）、及びＹ軸駆動区域（Ｄ１＋Ｄ２＋Ｄ３）に順番に第二電圧Ｖ２を印加すると共に、異なるＹ軸駆動方式下で、各々のＸ軸探測区域Ｓ１、Ｓ２、Ｓ３に対応する第一探測電極１１４の電圧値を測定する（図８参照）。各々のＸ軸探測区域Ｓ１、Ｓ２、Ｓ３に対応する第一探測電極１１４の電圧値を順番に測定する時、測定を進行しないＸ軸探測区域に対応する第一探測電極１１４及び駆動されないＹ軸駆動区域に対応する第２探測電極１２４に第一電圧Ｖ１を印加する。
【００６６】
図８の（Ａ）に示したように、前記Ｙ軸駆動区域Ｄ１に対応する第Ｙｎ−３番目の第二探測電極１２４に第二電圧Ｖ２を印加した時、前記Ｘ軸探測区域Ｓ１に対応する第Ｘｍ−２番目の第一探測電極１１４は、１つのＸ軸相対電圧極値Ｖｍ−２を測定する。前記Ｘ軸相対電圧極値Ｖｍ−２は、前記Ｙ軸駆動区域Ｄ１が駆動されない時に測定されたＸ軸相対電圧値（即ち、第一電圧Ｖ１）と違うので、前記Ｘ軸探測区域Ｓ１と前記Ｙ軸駆動区域Ｄ１との重複範囲内には、１つの真のタッチ点Ｃ１１が存在し、且つその座標は（ｘ１，ｙ１）であり、点Ｃ１２及び点Ｃ１３は無効点である。
【００６７】
図８の（Ｂ）に示したように、前記Ｙ軸駆動区域（Ｄ１＋Ｄ２）に対応する第Ｙｎ−３、Ｙｎ−１、Ｙｎ番目の第二探測電極１２４に第二電圧Ｖ２を印加した時、又は第Ｙｎ−３、Ｙｎ−２、Ｙｎ−１、Ｙｎ番目の第二探測電極１２４に第二電圧Ｖ２を印加した時、前記Ｘ軸探測区域Ｓ１に対応する第Ｘｍ−２番目の第一探測電極１１４は、１つのＸ軸相対電圧極値Ｖｍ−２’を測定する。前記X軸相対電圧極値Ｖｍ−２’は、前記Ｙ軸駆動区域Ｄ２が駆動されない時に測定されたＸ軸相対電圧極値Ｖｍ−２と違うので、前記Ｘ軸探測区域Ｓ１と前記Ｙ軸駆動区域Ｄ２との重複範囲内には、１つの真のタッチ点Ｃ２１が存在し、且つその座標は（ｘ１，ｙ２）である。
【００６８】
次に、前記Ｘ軸探測区域Ｓ３に対応する第Ｘｍ＋３番目の第一探測電極１１４は、他の１つのＸ軸相対電圧極値Ｖｍ＋３を測定する。前記Ｘ軸相対電圧極値Ｖｍ＋３は、前記Ｙ軸駆動区域Ｄ２が駆動されない時に測定されたＸ軸相対電圧極値（即ち、第一電圧Ｖ１）と違うので、前記Ｘ軸探測区域Ｓ３と前記Ｙ軸駆動区域Ｄ２との重複範囲内には、１つの真のタッチ点Ｃ２３が存在し、且つその座標は（ｘ３，ｙ２）であり、点Ｃ２２は無効点である。
【００６９】
図８の（Ｃ）に示したように、前記Ｙ軸駆動区域（Ｄ１＋Ｄ２＋Ｄ３）に対応する第Ｙｎ−３、Ｙｎ−１、Ｙｎ、Ｙｎ＋２、Ｙｎ＋３番目の５個の第二探測電極１２４に第二電圧Ｖ２を印加した時、又は第Ｙｎ−３、Ｙｎ−２、Ｙｎ−１、Ｙｎ、Ｙｎ＋１、Ｙｎ＋２、Ｙｎ＋３番目の７個の第二探測電極１２４に第二電圧Ｖ２を印加した時、前記Ｘ軸探測区域Ｓ１に対応する第一探測電極Ｘｍ−２は、１つのＸ軸相対電圧極値Ｖｍ−２”を測定する。前記Ｘ軸相対電圧極値Ｖｍ−２”は、前記Ｙ軸駆動区域Ｄ３が駆動されない時Ｘ軸相対電圧極値Ｖｍ−２’と違うので、前記Ｘ軸探測区域Ｓ１と前記Ｙ軸駆動区域Ｄ３との重複範囲内には、１つの真のタッチ点Ｃ３１が存在し、且つその座標は（ｘ１，ｙ３）である。
【００７０】
次に、前記Ｘ軸探測区域Ｓ２に対応する第Ｘｍ番目の第一探測電極１１４は、他の１つのＸ軸相対電圧極値Ｖｍを測定する。前記Ｘ軸相対電圧極値Ｖｍは、前記Ｙ軸駆動区域Ｄ３が駆動されない時に測定されたＸ軸相対電圧極値（即ち、第一電圧Ｖ１）と違うので、前記Ｘ軸探測区域Ｓ２と前記Ｙ軸駆動区域Ｄ３との重複範囲内には、真のタッチ点Ｃ３２が存在し、且つその座標は（ｘ２，ｙ３）である。
【００７１】
その次、前記Ｘ軸探測区域Ｓ３に対応する第Ｘｍ＋３番目の第一探測電極１１４は、また他の１つのＸ軸相対電圧極値Ｖｍ＋３を測定する。前記Ｘ軸相対電圧極値Ｖｍ＋３は、前記Ｙ軸駆動区域Ｄ３が駆動されない時に測定されたＸ軸電圧極値Ｖｍ＋３とほとんど同じであるので、前記Ｘ軸探測区域Ｓ３と前記Ｙ軸駆動区域Ｄ３との重複範囲内には、真のタッチ点が存在しない。従って、点Ｃ３３は無効点である。
【００７２】
上述した方法によって、５個の真のタッチ点の座標Ｃ１１：（ｘ１，ｙ１）、Ｃ２１：（ｘ１，ｙ２）、Ｃ２３：（ｘ３，ｙ２）、Ｃ３１：（ｘ１，ｙ３）、Ｃ３２：（ｘ２，ｙ３）を知ることができ、複数点のタッチ点の真の座標の判別を終了する。
【００７３】
本実施例において、測定誤差を低減するために、前記Ｙ軸駆動区域Ｄ１、Ｄ２、Ｄ３に区分されない２つの第二探測電極Ｙｎ−２、Ｙｎ＋１に第一電圧Ｖ１又は第二電圧Ｖ２を印加する。
【００７４】
図９〜図１１は本発明に係るタッチパネルの多点タッチ判別方法で異なる操作の手姿勢を判別することを示す図である。簡単に説明するために、図９〜図１１は、２つのタッチ点Ａ、Ｂを操作する場合のみを例とするが、実際的に２点以上の操作にも適用される。
【００７５】
図９に示したように、本発明に係るタッチパネルの多点タッチ判別方法を利用して、第一スキャン周期内で、真のタッチ点Ａ（ｘ１，ｙ１）及び真のタッチ点Ｂ（X２，ｙ２）を知ることができ、次のスキャン周期内で、真のタッチ点は矢方向に沿って点Ａ’（ｘ１’，y１’）及び点Ｂ’（ｘ２’，ｙ２’）に移動する。従って、このような動作を複数点タッチの「拡大効果」と設定し、これと相反すると、即ちタッチ点がＡ’（ｘ１’，ｙ１’）及びＢ’（ｘ２’，ｙ２’）からＡ（ｘ１，ｙ１）及びＢ（ｘ２，ｙ２）に移動すれば、このような動作を複数点タッチの「縮小効果」と設定する。
【００７６】
図１０に示したように、本発明に係るタッチパネルの多点タッチ判別方法を利用して、真のタッチ点を第一スキャン周期内での点Ａ（ｘ１，ｙ１）及び点Ｂ（ｘ２，ｙ２）から矢方向に沿って移動させて、次のスキャン周期内で点Ａ’（ｘ１’，ｙ１’）及びＢ’（ｘ２’，ｙ２’）に達する。このような動作を複数点タッチの「直線移動効果」又は「頁切替え効果」と設定する。
【００７７】
図１１に示したように、本発明に係るタッチパネルの多点タッチ判別方法を利用して、真のタッチ点を第一スキャン周期内での点Ａ（ｘ１，ｙ１）及び点Ｂ（ｘ２，ｙ２）から上下矢方向に沿って移動させて、次のスキャン周期内で点Ａ’（ｘ１’，y１’）及び点Ｂ’（ｘ２’，ｙ２’）に達する。このような動作を複数点タッチの「回転効果」と設定する。
【００７８】
本発明は、構造及び駆動が簡単で、低コストの抵抗式タッチパネルを提供し、前記タッチパネルは、簡単な計算を通じて複数のタッチ点の判別及び各種の手姿勢で複数点のタッチ操作を行うことができて、タッチパネルの応用範囲を大幅に拡大することができる。
【００７９】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００８０】
１００  タッチパネル
１１０  第一導電性フィルム
１１１  第一基板
１１２  第一接着層
１１３  第一導電層
１１４  第一探測電極
１２０  第二導電性フィルム
１２１  第二基板
１２２  第二接着層
１２３  第二導電層
１２４  第二探測電極
１２５  接続導線
１３０  環状接着層
１３１  欠口部
１３２  絶縁素子
１４０  フレキシブル印刷回路基板
１４１  金属接点
【図１】
0005634778.tif 000008
【図２】
0005634778.tif 000009
【図３】
0005634778.tif 000010
【図４】
0005634778.tif 000011
【図５】
0005634778.tif 000012
【図６】
0005634778.tif 000013
【図７】
0005634778.tif 000014
【図８】
0005634778.tif 000015
【図９】
0005634778.tif 000016
【図１０】
0005634778.tif 000017
【図１１】
0005634778.tif 000018